(57)【要約】【課題】  記録紙排出部に収容される記録紙の状態を充分に視認可能とする。【解決手段】  装置本体の上部に配設された原稿を読取る画像読取部と、前記画像読取部の下方に空間を介して配設され、該画像読取部で読取った画像情報に基づいて用紙に画像を形成した記録紙を排出する画像生成部と、前記画像生成部から排出される記録紙を前記空間内に収容する記録紙排出部と、前記装置本体の幅方向全体に渡って前記画像読取部に併設された画像形成操作を行うための操作パネルとを備えた画像形成装置において、前記操作パネルに前記記録紙排出部に収容される記録紙を視認可能な透過型のディスプレイを備えた。【選択図】  図１
2006030306.tif 000002
【特許請求の範囲】
【請求項１】
装置本体の上部に配設された原稿を読取る画像読取部と、
前記画像読取部の下方に空間を介して配設され、該画像読取部で読取った画像情報に基づいて用紙に画像を形成した記録紙を排出する画像生成部と、
前記画像生成部から排出される記録紙を前記空間内に収容する記録紙排出部と、
前記装置本体の幅方向に渡って前記画像読取部に併設された画像形成操作を行うための操作パネルとを備えた画像形成装置において、
前記操作パネルに前記記録紙排出部に収容される記録紙を視認可能な透過型のディスプレイを備えたことを特徴とする画像形成装置。
【請求項２】
前記記録紙排出部に排出された記録紙のサイズ或いは数量或いは出力者の情報に基づいて、前記ディスプレイの表示色を可変とする請求項１記載の画像形成装置。
【請求項３】
前記記録紙排出部に排出された記録紙のサイズ或いは数量或いは出力者の情報に基づいて、前記ディスプレイにガイド文字を表示する請求項１記載の画像形成装置。
【発明の詳細な説明】
【技術分野】
【０００１】
本発明は、画像形成装置に関し、特に記録紙を装置内部に排出する画像形成装置に関する。
【背景技術】
【０００２】
従来、画像形成装置内部に記録紙を排出する技術として、図３に示すように、装置本体の上部に画像読取部１１を配設し、当該画像読取部１１の下方に空間を介して配設された画像生成部１２より排出されてくる記録紙を、当該空間内に設けられた記録紙排出部１３で収容する画像形成装置が提案されている。
【０００３】
これは、装置内部の空間内に設けられた記録紙排出部１３に記録紙を収容することで、装置本体の側部に記録紙排出部を設ける場合と比較して、装置をコンパクトに構成することができ、装置の設置に必要なスペースを小さくすることが可能となるというものである。
【０００４】
また、上記画像読取部１１は下方の画像生成部１２に対して、その前面が後方へ所定距離Ｌだけ小さくなっており、画像生成部１２の上部に構成される記録紙排出部１３の一部が上方から視認できるようになっている。
【０００５】
このようにして、装置をコンパクトに構成すると共に、記録紙の排出状況を把握できるようにしている（特許文献１参照）。
【特許文献１】特許３２３０２９７号公報
【発明の開示】
【発明が解決しようとする課題】
【０００６】
しかしながら、上述した従来技術においては、装置本体上部の画像読取部を下方の画像生成部に対して後方へ小さくして配設してはいるものの、当該画像生成部の上部に構成される記録紙排出部に収容される記録紙を視認しようとしても、当該画像読取部が視角を遮る部分があるため、当該記録紙排出部に収容される記録紙の状態を充分に視認することが困難であった。
【０００７】
そこで本発明は上記問題に鑑み、装置本体の上部に配設された操作パネルに透過型のディスプレイを配設し、当該ディスプレイから下方への視野を確保することで、操作パネルより下方の記録紙排出部に収容される記録紙の状態を充分に視認可能とする画像形成装置を提供することを目的とする。
【課題を解決するための手段】
【０００８】
本発明は、装置本体の上部に配設された原稿を読取る画像読取部と、前記画像読取部の下方に空間を介して配設され、該画像読取部で読取った画像情報に基づいて用紙に画像を形成した記録紙を排出する画像生成部と、前記画像生成部から排出される記録紙を前記空間内に収容する記録紙排出部と、前記装置本体の幅方向に渡って前記画像読取部に併設された画像形成操作を行うための操作パネルとを備えた画像形成装置を前提としている。
【０００９】
本発明は、前記操作パネルに前記記録紙排出部に収容される記録紙を視認可能な透過型のディスプレイを備えた構成としている。
【００１０】
このようにすれば、装置本体の上部に配設された操作パネルに透過型のディスプレイを配設し、当該ディスプレイから下方への視野を確保することで、操作パネルより下方の記録紙排出部に収容される記録紙の状態を充分に視認可能となる。
【００１１】
また、前記記録紙排出部に排出された記録紙のサイズ或いは数量或いは出力者の情報に基づいて、前記ディスプレイの表示色を可変とする構成としてもよい。
【００１２】
このようにすれば、記録紙のサイズ、数量、出力者に応じてディスプレイの表示色を変化させるので、出力される記録紙のサイズ、数量、出力者が容易に把握でき、より詳細な記録紙の排出状況の把握が可能となる。
【００１３】
また、前記記録紙排出部に排出された記録紙のサイズ或いは数量或いは出力者の情報に基づいて、前記ディスプレイにガイド文字を表示する構成としてもよい。
【００１４】
このようにすれば、記録紙のサイズ、数量、出力者に応じてディスプレイにガイド文字を表示させるので、出力される記録紙のサイズ、数量、出力者が容易に把握でき、より詳細な記録紙の排出状況の把握が可能となる。
【発明の効果】
【００１５】
装置本体の上部に配設された操作パネルに透過型のディスプレイを配設し、当該ディスプレイから下方への視野を確保するので、操作パネルより下方の記録紙排出部に収容される記録紙の状態を充分に視認可能となる。
【発明を実施するための最良の形態】
【００１６】
以下、本発明の実施の形態を画像形成装置としての複写機に適用した場合を例にとって図面にしたがって詳細に説明する。
【００１７】
図１は本発明の実施の形態における複写機の概略斜視図である。
【００１８】
本発明の複写機は画像読取部１を装置本体の上部に配設しており、その下方に空間を介して画像生成部２を配設している。
【００１９】
さらに、装置本体の幅方向全体に渡って前記画像読取部１に併設された画像形成操作を行うための操作パネル３を配置している。
【００２０】
上記画像生成部２の上部には当該画像生成部２の排出口２ａから排出される記録紙５を上記空間内に収容する記録紙排出部４を配設している。
【００２１】
このように記録紙排出部４を装置内部に形成することで、装置本体の側部に記録紙排出部を設ける場合と比較して、装置をコンパクトに構成することができ、装置の設置に必要なスペースを小さくすることが可能となっている。
【００２２】
上記画像読取部１は原稿をセットして原稿の画像を走査して読取る機構を備えており、原稿を押圧して保持する原稿カバー１ａを備えている。
【００２３】
上記操作パネル３には操作キー３ａと液晶の透過型ディスプレイ３ｂを同一平面上に形成しており、上記画像読取部１と画像生成部２等の各種の操作の制御を行うことが可能となっている。
【００２４】
図２に示すように、上記画像生成部２は上記感光体ドラム６を帯電器により帯電させて、上記画像読取部１から入力される画像データに基づいて、書き込み装置７よりレーザビームを出力させ、当該レーザビームを感光体ドラム６に照射して、静電潜像を形成する。
【００２５】
上記のように静電潜像を形成すると、現像装置８からトナーを供給してトナー画像を形成し、給紙部９から送られてくる用紙に当該トナー画像を転写して記録紙５を生成し、記録紙排出部４へ排出する。
【００２６】
上記操作パネル３に形成した透過型ディスプレイ３ｂは各種の案内表示が可能であると共に、半透明の液晶画面となっている。
【００２７】
従って下方の空間内を臨むことが可能となり、上記画像生成部２で生成され、記録紙排出部４に排出されてくる記録紙５を視認可能にしている。
【００２８】
また、前記記録紙排出部４に排出された記録紙５のサイズ或いは数量或いは出力者の情報に基づいて、上記ディスプレイの表示色を可変とする構成としてもよい。
【００２９】
このようにすれば、記録紙のサイズ、数量、出力者に応じてディスプレイの表示色を変化させるので、出力される記録紙のサイズ、数量、出力者が容易に把握でき、より詳細な記録紙の排出状況の把握が可能となる。なお、ディスプレイの表示色は、例えば排出されてくる記録紙のサイズがＡ４サイズなら黄緑、Ｂ５サイズなら橙という具合に記録紙のサイズに対応させて、予め表示色を設定しておいて表示させる構成とすればよい。
【００３０】
また、前記記録紙排出部に排出された記録紙５のサイズ或いは数量或いは出力者の情報に基づいて、上記ディスプレイにガイド文字を表示する構成としてもよい。
【００３１】
このようにすれば、記録紙のサイズ、数量、出力者に応じてディスプレイにガイド文字を表示させるので、出力される記録紙の数量が容易に把握でき、より詳細な記録紙の排出状況の把握が可能となる。なお、ガイド文字は、例えば記録紙の数量に応じて表示する場合、原稿枚数のカウント値に基いて、印刷される記録紙の数量を算出し、表示させる構成とすればよい。
【００３２】
上記実施の形態では画像形成装置としての複写機に適用した場合を例にとって説明したが、ファクシミリ、プリンタ等の機能を併せもつデジタル画像形成装置にも適用可能であるのは勿論である。
【００３３】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３４】
装置本体の上部に配設された操作パネルに透過型のディスプレイを配設し、当該ディスプレイから下方への視野を確保するので、操作パネルより下方の記録紙排出部に収容される記録紙の状態を充分に視認可能となり有用である。
【図面の簡単な説明】
【００３５】
【図１】本発明の実施の形態における複写機を示す概略斜視図である。
【図２】画像生成部の内部構造を示す概略図である。
【図３】従来の画像形成装置を示す概略斜視図である。
【符号の説明】
【００３６】
１  画像読取部
２  画像生成部
３  操作パネル
３ｂ  透過型ディスプレイ
４  記録紙排出部
５  記録紙
【図１】
2006030306.tif 000003
【図２】
2006030306.tif 000004
【図３】
2006030306.tif 000005